(57)【要約】【課題】机の上などに置いたときにも安定して起立することができる壁掛け棚を提供する。【解決手段】壁掛け棚１は、第１棚部２と、第１棚部２の下方に位置する第２棚部３と、第１棚部２と第２棚部３とを連結する後板４と、を備える。後板４には、第１棚部２と第２棚部３との間に位置させて折り曲げ可能な折曲可能部４ａが設けられ、第２棚部３は第２底部８を備え、第２底部８の前後方向の長さＸは、後板４の下端から折曲可能部４ａまでの高さＹよりも短く設定されており、後板４を折曲可能部４ａで折り曲げた自立状態と、後板４を折曲可能部４ａで折り曲げていない壁掛け状態とを選択して使用できる。【選択図】図１
2019122594.tif 000002
【特許請求の範囲】
【請求項１】
第１棚部と、
前記第１棚部の下方に位置する第２棚部と、
前記第１棚部と前記第２棚部とを連結する後板と、
を備える壁掛け棚であって、
前記後板には、前記第１棚部と前記第２棚部との間に位置させて折り曲げ可能な折曲可能部が設けられ、
前記第２棚部は第２底部を備え、
前記第２底部の前後方向の長さは、前記後板の下端から前記折曲可能部までの高さよりも短く設定されており、
前記後板を前記折曲可能部で折り曲げた自立状態と、前記後板を前記折曲可能部で折り曲げていない壁掛け状態とを選択して使用できることを特徴とする壁掛け棚。
【請求項２】
請求項１に記載の壁掛け棚であって、
前記後板の前記折曲可能部よりも第２棚部側には、前記壁掛け状態において前方へ延びる突片が設けられ、
前記後板の前記折曲可能部よりも第１棚部側には、前方へ延び途中で折り返される折返し片が設けられ、
前記自立状態において、前記突片は、折り返された前記折返し片に挟まれて係止されることを特徴とする壁掛け棚。
【請求項３】
請求項２に記載の壁掛け棚であって、
前記折返し片と前記後板との連設部分には、前記折返し片の先端が差し込まれる差込孔が設けられていることを特徴とする壁掛け棚。
【請求項４】
請求項１から請求項３の何れか１項に記載の壁掛け棚であって、
前記後板には、前記折曲可能部を横切るように延びる切込部によって切り起こし可能な切起し部が設けられていることを特徴とする壁掛け棚。
【発明の詳細な説明】
【技術分野】
【０００１】
本発明は、例えば原紙から打ち抜かれた一枚の板紙を折り曲げて組み立てられるような、壁掛け棚に関する。
【背景技術】
【０００２】
従来、原紙から打ち抜かれた一枚の板紙を折り曲げて組み立てられる壁掛け棚が知られている（例えば、特許文献１参照）。この壁掛け棚は、第１棚部と、第１棚部の下方に位置する第２棚部と、第１棚部と第２棚部とを接続する後板とを備える。
【先行技術文献】
【特許文献】
【０００３】
【特許文献１】実開平３−１２２７７２号公報
【発明の概要】
【発明が解決しようとする課題】
【０００４】
従来の壁掛け棚は、専ら壁に掛けるために用いられるため、自立性が低く机などの上で立った状態を維持することが困難であり、壁に掛けられるスペースを確保できないような場合に、机の上に置いても倒れてしまう虞があった。
【０００５】
本発明は、以上の点に鑑み、机の上などに置いたときにも安定して起立することができる壁掛け棚を提供することを目的とする。
【課題を解決するための手段】
【０００６】
［１］上記目的を達成するため、本発明は、
第１棚部（例えば、実施形態の第１棚部２。以下同一。）と、
前記第１棚部の下方に位置する第２棚部（例えば、実施形態の第２棚部３。以下同一。）と、
前記第１棚部と前記第２棚部とを連結する後板（例えば、実施形態の後板４。以下同一。）と、
を備える壁掛け棚（例えば、実施形態の壁掛け棚１。以下同一。）であって、
前記後板には、前記第１棚部と前記第２棚部との間に位置させて折り曲げ可能な折曲可能部（例えば、実施形態の折目線４ａ。以下同一。）が設けられ、
前記第２棚部は第２底部（例えば、実施形態の第２底板８。以下同一。）を備え、
前記第２底部の前後方向の長さ（例えば、実施形態の長さＸ。以下同一。）は、前記後板の下端から前記折曲可能部までの高さ（例えば、実施形態の高さＹ。以下同一。）よりも短く設定されており、
前記後板を前記折曲可能部で折り曲げた自立状態と、前記後板を前記折曲可能部で折り曲げていない壁掛け状態とを選択して使用できることを特徴とする。
【０００７】
本発明によれば、壁掛け状態で壁に掛けることもできるし、机の上などに置くときには、折曲可能部で後板をＬ字状に折り曲げて自立状態とすれば、折曲可能部よりも下方の後板が接地することができるため、安定して起立した状態を維持させることができる。
【０００８】
［２］また、本発明においては、
前記後板の前記折曲可能部よりも第２棚部側には、前記壁掛け状態において前方へ延びる突片（例えば、実施形態の突片１１。以下同一。）が設けられ、
前記後板の前記折曲可能部よりも第１棚部側には、前方へ延び途中で折り返される折返し片（例えば、実施形態の折返し片１２。以下同一。）が設けられ、
前記自立状態において、前記突片は、折り返された前記折返し片に挟まれて係止されることが好ましい。
【０００９】
かかる構成によれば、突片が折返し片に挟まれて係止されるため、意図せずに自立状態から壁掛け状態に切り替わることを防止することができる。
【００１０】
［３］また、本発明においては、前記折返し片と前記後板との連設部分には、前記折返し片の先端が差し込まれる差込孔（例えば、実施形態の差込孔１３。以下同一。）が設けられていることが好ましい。
【００１１】
かかる構成によれば、折返し片の先端が差込孔に差し込まれているため、自立状態において、突片を挟んで係止した状態をしっかりと維持することができる。
【００１２】
［４］また、本発明においては、前記後板には、前記折曲可能部を横切るように延びる切込部（例えば、実施形態の切込線１４。以下同一。）によって切り起こし可能な切起し部（例えば、実施形態の切起し部１５。以下同一。）が設けられていることが好ましい。
【００１３】
かかる構成によれば、壁掛け状態において、切起し部を起立させることにより後板が折曲可能部で折り曲げられなくなり、意図せずに後板が折曲可能部で折れ曲がるような外力が加わっても、壁掛け棚が壁掛け状態を維持することができる。
【図面の簡単な説明】
【００１４】
【図１】本発明の壁掛け棚の実施形態を示す説明図。
【図２】本実施形態の壁掛け棚の自立状態を示す説明図。
【図３】本実施形態の壁掛け棚を展開して示す説明図。
【発明を実施するための形態】
【００１５】
図を参照して、本発明の壁掛け棚の実施形態を説明する。図１に示すように、本実施形態の壁掛け棚１は、原紙から打ち抜かれた一枚の板紙を折り曲げて組み立てられるものであり、第１棚部２と、第１棚部２の下方に位置する第２棚部３と、第１棚部２と第２棚部３とを接続する後板４とを備える。一枚の板紙の一方の面は印刷面であり、第１棚部２、第２棚部３に載置される商品の名称などが印刷されている。
【００１６】
後板４には、第１棚部２と第２棚部３との間に位置させて折り曲げ可能な折曲可能部としての折目線４ａが設けられている。また、後板４の上端には、壁掛け用の貫通孔４ｂが左右に間隔を存して２つ設けられている。
【００１７】
第１棚部２は、後板４に対して起立した状態となるように配置された第１底板５と、第１底板５の前端縁から上方に向かって起立し且つ後板４と平行となるように配置される第１前板６と、第１前板６の側縁と後板４の側縁とを夫々接続する左右一対の第１側板７と、を備える。第１側板７の上端縁は、前方から後方に向かうに従って次第に上方に高くなるように傾斜した傾斜縁となっている。
【００１８】
第２棚部３は、後板４に対して起立した状態となるように配置された第２底板８（本発明の第２底部に該当）と、第２底板８の前端縁から上方に向かって起立し且つ後板４と平行となるように配置される第２前板９と、第２前板９の側縁と後板４の側縁とを接続する左右一対の第２側板１０とを備える。
【００１９】
第２底板８の前後方向の長さＸは、後板４の下端から折目線４ａまでの高さＹよりも短くなるように設定されている。これにより、壁掛け棚１を壁に引っ掛けたときに壁からの突出を抑えることができ、壁掛け棚１が邪魔となり難い。
【００２０】
後板４には、折目線４ａよりも第２棚部３側に位置させて、前方へ延びる突片１１が設けられている。本実施形態では、突片１１は、第２側板１０に接続された折り曲げ部分のない一枚の板として構成されている。また、後板４には、折目線４ａよりも第１棚部２側に位置させて、前方へ延びて途中で折り返される折返し片１２が設けられている。なお、図１では、折返し片１２の折り返す前の状態を二点鎖線で示している。
【００２１】
本実施形態では、折返し片１２の折り返される部分を除く基端部１２ａは、第１側板７に接続された折り曲げ部分のない一枚の板として構成されており、折返し片１２の基端部１２ａの下端は、折目線４ａの延長線上に達する位置まで延びている。
【００２２】
折返し片１２と後板４との連結部分には、折返し片１２の折り返された先端が差し込まれる差込孔１３が設けられている。
【００２３】
また、後板４には、折目線４ａを横切るように延びるＵ字状の切込線１４が左右に間隔を存して一対設けられている。この切込線１４によって切込線１４の内側に画成される切起し部１５を後板４から後ろ側へ起立させることにより、後板４が折目線４ａで意図せずに折れ曲がることを防止することができる。なお、切込線１４は、Ｕ字状に限らず、他の形状、例えば、Ｃ字状、Ｖ字状、コ字状、であってもよい。
【００２４】
図２は、後板４を折目線４ａに沿って折り曲げ、断面Ｌ字状としたときの壁掛け棚１を示している。壁掛け棚１が図１の状態のときを、貫通孔４ｂを利用して壁に掛けられる状態であり、後板４を折目線４ａで折り曲げていない壁掛け状態という。また、壁掛け棚１が図２の状態のときを、机の上などに安定して起立を維持させたまま置くことができ、後板４を折目線４ａで折り曲げられた自立状態という。
【００２５】
壁掛け棚１を図１の壁掛け状態から図２の自立状態に切り換えるには、まず、切起し部１５を後板４と面一になるように寝かせて後板４が折目線４ａで折り曲げられる状態とする。そして、折返し片１２の先端を差込孔１３から抜き去り、折返し片１２の折り返された部分を前方へ延ばす。
【００２６】
次に、後板４を折目線４ａに沿って断面Ｌ字状になるように直角に前方へ折り曲げる。このとき突片１１は、折返し片１２の折り返されることのない基端部１２ａの内側に重ね合わされる。そして、折返し片１２の先端部を折り返して突片１１を挟み込むと共に、折返し片１２の先端を差込孔１３に差し込んで、突片１１を折返し片１２で係止させる。折返し片１２の先端は差込孔１３に差し込まれているため、折返し片１２は、突片１１を挟んでしっかりと係止することができる。
【００２７】
図２に示す自立状態においては、後板４の下端から折目線４ａまでの高さＹが第２底板８の前後方向の長さＸよりも長いため、壁掛け棚１が安定して起立した状態を維持することができる。
【００２８】
なお、図２の自立状態では、第１前板６と横に寝かされた状態の第２前板９との間に間隔を存するように構成されており、第１前板６と第２前板９との間のスペースに第２棚部３の載置されていた商品等を置くことができるようにされている。
【００２９】
図３は、本実施形態の壁掛け棚１を展開して示す説明図である。図３から明らかなように、本実施形態の壁掛け棚１は、原紙から打ち抜かれた１枚の板紙を折り曲げて組み立てられる。図３では、一点鎖線で示す折目線が山折り線であり、二点鎖線で示す折目線が谷折り線であることを示している。また、各折目線には、必要に応じて切れ目部を適宜織り交ぜて設けて、厚い紙を用いた場合でも容易に折り曲げられるようにしてもよい。このとき、外側から視認できる部分には、切れ目部を入れない方が外観上好ましい。
【００３０】
図３に示すように、一方の第１側板７には、折目線を介して折り曲げられて後板４の一方の端部に接着される接着片７ａが設けられている。この第１側板７と接着片７ａとの間の折目線に一方の差込孔１３が設けられている。このように、本件においては、後板４に接着される接着片７ａと第１側板７との間も、本発明における「折返し片と後板との連結部分」と定義する。
【００３１】
一方の第２側板１０には、折目線を介して折り曲げられて後板４の一方の端部に接着される接着片１０ａが設けられている。
【００３２】
第１底板５は、第１前板６の上端縁に折目線を介して接続された前板補強板６ａを第１前板６の裏側に沿って折返し、この前板補強板６ａの下端（図３の展開図では上端）に折目線を介して接続されている。
【００３３】
図３において第１底板５の上端には、差込片５ａが折目線を介して連設されている。この第１底板５に連設された差込片５ａは、第１底板５に対して下方に直角に折り曲げて、後板４に設けられた切込線４ｃに差し込まれる。差込片５ａが切込線４ｃに差し込まれることにより第１底板５が支えられる。切込線４ｃは、切起し部１５よりも上方に位置している。また、第１底板５の左右には、上方へ折り返されるフラップ５ｂが設けられている。
【００３４】
第２底板８は、第２前板９の下端に折目線を介して連設されている。図３の展開状態において、第２底板８の下端には、左右方向に間隔を存して一対の差込片８ａが設けられている。
【００３５】
図３の展開状態において、後板４及び左右一対の第２側板１０の各下端には折目線を介して内フラップ１０ｂ、１６ａが連設されている。後板４と後板４の下端に連設された内フラップ１６ａとの間の折目線上には、第２底板８に連設された一対の差込片８ａが夫々差込み可能な左右一対の切込線１６ｂが設けられている。また、第２底板８と差込片８ａとの間の折目線の中央には、切込線８ｂが夫々設けられ、後板４と後板４に連設する内フラップ１６ａとには両者に跨るように切り起こされて第２底板８と差込片８ａとの間に設けられた切込線８ｂに差し込まれる差込片１６ｃが設けられている。なお、内フラップ１０ｂ、１６ａは第２底板８に接着してもよい。
【００３６】
本実施形態の壁掛け棚１によれば、壁掛け状態で壁に掛けることもできるし、机の上などに置くときには、折曲可能部としての折目線４ａで後板４をＬ字状に折り曲げて自立状態とすれば、折目線４ａよりも下方の後板４の部分が接地することができるため、壁掛け状態と比較して、安定して起立した状態を維持させることができる。
【００３７】
また、本実施形態の壁掛け棚１によれば、突片１１が折返し片１２に挟まれて係止されるため、意図せずに自立状態から壁掛け状態に切り替わることを防止することができる。
【００３８】
また、本実施形態の壁掛け棚１によれば、第１棚部２は、左右一対の第１側板７を備え、第２棚部３は、左右一対の第２側板１０を備え、折返し片１２は第１側板７に連設され、突片１１は第２側板１０に連設されている。
【００３９】
かかる構成によれば、壁掛け棚１の組立工程において、第１側板７と第２側板１０とを後板４に対して起立するように折り曲げたときに突片１１及び折返し片１２も一緒に後板４に対して起立するため、壁掛け棚１の組立て工程の簡略化を図ることができる。
【００４０】
また、本実施形態の壁掛け棚１においては、後板４には、折曲可能部としての折目線４ａを横切るように延びるＵ字状の切込線１４（本発明の切込部に該当する）によって切り起こし可能な切起し部１５が設けられている。
【００４１】
かかる構成によれば、壁掛け棚１の壁掛け状態において、切起し部１５を後板４に対して起立させることにより後板４が折曲可能部としての折目線４ａで折り曲げられなくなり、意図せずに後板４が折目線４ａで折れ曲がるような外力が加わっても、壁掛け棚１が壁掛け状態を維持することができる。
【００４２】
なお、本発明の壁掛け棚は、実施形態の壁掛け棚１の構成に限定されず、第１棚部２、第２棚部３、後板４、折目線４ａとして説明した折曲可能部を備えていればよい。また好ましくは突片１１、折返し片１２を備えることにより、自立状態を安定して維持することが可能となる。
【００４３】
例えば、本実施形態では、第１側板７と折返し片１２の折り返されない基端部１２ａとが折り曲げられることのない１枚の板として構成されたものを説明した。しかしながら、本発明の折返し片１２の形状はこれに限らず、例えば、折返し片１２の折り返されない基端部１２ａが第１側板７から分離されていてもよい。この場合、例えば、第１前板６の下端縁の延長線上に切り込み線を入れて第１側板７と折返し片１２とを完全に分離させてもよい。
【符号の説明】
【００４４】
１  壁掛け棚
２  第１棚部
３  第２棚部
４  後板
４ａ  折目線（折曲可能部）
４ｂ  貫通孔
４ｃ  切込線
５  第１底板
５ａ  差込片
５ｂ  フラップ
６  第１前板
６ａ  前板補強板
７  第１側板
７ａ  接着片
８  第２底板（第２底部）
８ａ  差込片
８ｂ  切込線
９  第２前板
１０  第２側板
１０ａ  接着片
１０ｂ  内フラップ
１１  突片
１２  折返し片
１２ａ  基端部
１３  差込孔
１４  切込線（切込部）
１５  切起し部
１６ａ  内フラップ
１６ｂ  切込線
１６ｃ  差込片
【図１】
2019122594.tif 000003
【図２】
2019122594.tif 000004
【図３】
2019122594.tif 000005